(57)【要約】　　　（修正有）【課題】仕口部を一枚の支持板部の場合も二枚の支持板部の場合も選択係合できるように加工し、共通のプレカットで双方の金具が使用可能となる、センター位置にボルト孔を設けた一枚支持構造の木材の連結金具を提供する。【解決手段】一枚の板材に切り起こし折曲用の切込縁４を形成し、この切込縁４を介して取付板部５に対して支持板部６を略９０度折曲形成し、この取付板部５には一方の建築用木材１に当接し、この建築用木材１に設けたボルト貫通孔７に貫通される連結ボルト８を挿通するボルト孔９を設け、前記折曲形成した支持板部６には他方の建築用木材３に設けた仕口部２に連結する仕口連結部１０を設け、前記支持板部６の折曲基部の折曲縁１１の長さ方向が前記取付板部５の中央部に位置するように前記切込縁４の位置を設定し、この折曲縁１１の長さ方向に略合致する前記取付板部５の中央部に前記ボルト孔９を配設した木材の連結金具。【選択図】　　　　図３
2004108030.tif 000002
【特許請求の範囲】
【請求項１】
一方の建築用木材と、端部に仕口部を設けた他方の建築用木材とを直角若しくは傾斜状態に連結するための一枚の板材から成る木材の連結金具であって、一枚の板材に切り起こし折曲用の切込縁を形成し、この切込縁を介して取付板部に対して支持板部を略９０度折曲形成し、この取付板部には前記一方の建築用木材に当接し、この建築用木材に設けたボルト貫通孔に貫通される連結ボルトを挿通するボルト孔を設け、前記折曲形成した支持板部には前記他方の建築用木材に設けた仕口部に連結する仕口連結部を設け、前記支持板部の折曲基部の折曲縁の長さ方向が前記取付板部の中央部に位置するように前記切込縁の位置を設定し、この折曲縁の長さ方向に略合致する前記取付板部の中央部に前記ボルト孔を配設したことを特徴とする木材の連結金具。
【発明の詳細な説明】
【０００１】
【発明の属する技術分野】
本発明は、例えば柱に梁などの横架材を架け渡す際に、この柱と横架材とを連結する建築用木材の連結金具に関するものである。
【０００２】
【従来の技術及び発明が解決しようとする課題】
建築用木材の連結金具（継合金具）は、大別すると平断面コ字状あるいはＵ字状の二枚支持構造のものと、Ｔ字状の一枚支持構造のものとがあり、夫々の特徴をもって使い分けされており、連結する木材側のプレカットも夫々に合った加工がなされる。
【０００３】
この二枚支持構造のものは、例えば板材をコ字状あるいはＵ字状に折曲形成し、この折り返し部には、一方の木材に設けたボルト貫通孔に貫通される連結ボルトを挿通するボルト孔を設け、反対側の折曲遊離端側（二枚の支持板部）には、プレカットして形成した一方の木材の仕口部に連結（挿入して貫通ボルト止め）し得るように仕口連結部を設けた構成とし、一方の木材に連結固定した本金具の並設した二枚の支持板部を前記他方の木材の仕口部に係合して連結固定し、木材同志をこの金具によって連結する構成としている。
【０００４】
また、一枚支持構造のものは、Ｔ字状の基部のボルト孔を設けた取付板部を同様にして一方の木材に連結固定し、この取付板部から突出する一枚の支持板部を前記他方の木材の仕口部に係合して連結固定し、木材同志を同様に連結する構成としている。
【０００５】
このように例えば一方の木材である柱には数本の連結ボルトを貫通するボルト貫通孔を数ヵ所形成するが、このボルト貫通孔と連通合致される前記ボルト孔は、例えば意匠登録第８８６９０６号，意匠登録第１０６４３８０号などのように、二枚支持構造のコ字状あるいはＵ字状いずれの場合も曲げ巾のセンターに位置している。
【０００６】
ところが、一枚支持構造の場合は、例えば意匠登録第６４７８９１号，意匠登録第１０１９５３２号などのように取付板部と支持板部とのツーピース（別板材）を溶接で結合させるか、例えば意匠登録第９７９２２０号などのように左右対称の二枚の板材を背中合わせのように張り合わせて構成するかである。
【０００７】
しかしこのような一枚支持構造のものは、加工工程も多く、コスト高になる。
【０００８】
そのため、例えば意匠登録第１０１９７０５号，意匠登録第１０３３２２５号のように、一枚の板材から折曲して取付板部に対して支持板部を折曲突出形成する構成のものもあるが、前記柱に連結固定するための前記ボルト孔は、センター位置ではなく、支持板部に対して片側あるいは左右両側に折曲突出した取付板部に形成しなければならないため、支持板部の基端縁となる金具センター位置にボルト孔が形成できないこととなる。
【０００９】
このため、ボルト孔がセンターの支持板に対して片側にズレているから強度が低下するおそれがあると共に、この木材に対して二枚支持構造のものを採用する場合と、一枚支持構造を採用する場合とで柱を貫通させるボルト貫通孔の位置が異なるために、使用する金具によって異なる位置にボルト貫通孔を形成しなければならず、共通のプレカットとすることができない。
【００１０】
本発明は、このような問題点を見出しこれを解決したもので、別ピースを溶接で接合する構成ではなく、一枚の板材から一枚支持構造のものを折曲形成する構成でありながら、ボトル孔を二枚支持構造のものと同様に金具のセンター位置、即ち、支持板部の基端縁、更に言い換えれば、折曲形成した支持板部の折曲縁の長さ方向（長さ延長方向）に位置させるように構成して、木材に設ける連結ボルトのボルト貫通孔の位置をいずれの金具の場合も変える必要がなく、例えば仕口部を一枚の支持板部の場合も二枚の支持板部の場合も選択係合できるように加工すれば、ほとんど全く共通のプレカットで双方の金具が使用可能となる極めて画期的なセンター位置にボルト孔を設けた一枚支持構造の木材の連結金具を提供することを目的としている。
【００１１】
【課題を解決するための手段】
添付図面を参照して本発明の要旨を説明する。
【００１２】
一方の建築用木材１と、端部に仕口部２を設けた他方の建築用木材３とを直角若しくは傾斜状態に連結するための一枚の板材から成る木材の連結金具であって、一枚の板材に切り起こし折曲用の切込縁４を形成し、この切込縁４を介して取付板部５に対して支持板部６を略９０度折曲形成し、この取付板部５には前記一方の建築用木材１に当接し、この建築用木材１に設けたボルト貫通孔７に貫通される連結ボルト８を挿通するボルト孔９を設け、前記折曲形成した支持板部６には前記他方の建築用木材３に設けた仕口部２に連結する仕口連結部１０を設け、前記支持板部６の折曲基部の折曲縁１１の長さ方向が前記取付板部５の中央部に位置するように前記切込縁４の位置を設定し、この折曲縁１１の長さ方向に略合致する前記取付板部５の中央部に前記ボルト孔９を配設したことを特徴とする木材の連結金具に係るものである。
【００１３】
【発明の実施の形態】
好適と考える本発明の実施の形態（発明をどのように実施するか）を、図面に基づいてその作用効果を示して簡単に説明する。
【００１４】
一枚の板材に切込縁４を形成する。例えば所定形状の板材を打ち抜き形成する際に切込部も形成して板材の所定位置に立ち起こし折曲のための前記切込縁４を形成する。
【００１５】
この切込縁４を利用して取付板部５に対して支持板部６を立ち起こし折曲形成する。
【００１６】
この際、前記切込縁４の設定によって本発明では、単に支持板部６の側方に取付板部５が折曲突出した形状とはならず、支持板部６の基端縁である折曲縁１１の長さ方向（長さ延長方向）が取付板部５の中央部に位置する。
【００１７】
即ち、例えば予めこの取付板部５の中央部にボルト孔９を形成しておくことで、このボルト孔９は、支持板部６の折曲縁１１の長さ方向に位置する。
【００１８】
従って、センター位置とする支持板部６の基端縁長さ方向、即ち、この支持板部６と共にセンター位置に前記ボルト孔９が配置された構成の一枚支持構造の木材の連結金具を、ツーピースの溶接構造とせずに一枚の板材からの折曲によって形成できることとなる。
【００１９】
従って、この折曲構造によって簡易なプレス加工などによって容易に製作でき、量産性に秀れ、コストアップにならないと共に、折曲構造であるから、一枚支持構造であってもセンター位置（支持板部６の基端縁長さ方向）に取付板部５に設けたボルト孔９を配置できるため、同様にセンター位置に設けた断面コ字状やＵ字状の二枚の支持板部６が並設した二枚支持構造の木材の連結金具を用いる場合も、本金具の一枚支持構造を用いる場合も、一方の木材１（柱）の所定位置にボルト貫通孔７を設けておけば双方とも使用でき、共通のプレカットで良いこととなる。
【００２０】
即ち、例えば他方の木材３（横架材）の仕口部２として二枚並設の支持板部６でも一枚の支持板部６でも選択挿入係合し得るようにプレカットして仕口部２形成しておけば、柱１側のボルト貫通孔７はセンター位置に設けておけば良く、このプレカットによって必要に応じて二枚支持構造の木材の連結金具でも本発明の一枚支持構造の木材の連結金具でも適宜採用可能となる画期的な木材の連結金具となる。
【００２１】
【実施例】
本発明の具体的な実施例について図面に基づいて説明する。
【００２２】
本実施例は、一方の建築用木材１である柱１と、他方の建築用木材３である梁などの横架材３とを連結する連結金具として構成し、木材１，３には、本実施例の一枚支持構造の連結金具でも、図１１に示すような二枚支持構造の連結金具でも使用できるようにプレカットしている。
【００２３】
柱１には、連結ボルト８を挿通してナット８Ａ止めするボルト貫通孔７を複数センター位置に縦列形成し、また横架材３の先端部には、センター位置の一枚支持板部６も二枚並設の支持板部も挿入係合可能な仕口部２を形成し、貫通ピン１２で連結固定するように構成している。
【００２４】
従って、本実施例では、図１１に示すような二枚支持構造と同様に前記ボルト貫通孔７と連通合致するボルト孔９をセンター位置に設けることで、二枚支持構造の場合と同一のプレカットで使用できるように構成している。
【００２５】
即ち、一枚の板材に切り起こし折曲用の切込縁４を形成し、この切込縁４を介して取付板部５に対して支持板部６を略９０度折曲形成するが、前記支持板部６の折曲基部の折曲縁１１の長さ方向が前記取付板部５の中央部に位置するように前記切込縁４の位置を設定し、この折曲縁１１の長さ方向に略合致する前記取付板部５の中央部に前記ボルト孔９を配設している。
【００２６】
具体的には、一枚の板材をプレス加工によって所定形状に切り込む際に、前記ボルト孔９及び前記貫通ピン１２を貫通する係止孔１３を打ち抜き形成すると共に所定位置に切込部を形成して前記切込縁４を形成する。
【００２７】
この切込縁４は、この切込縁４を用いて直角に支持板部６を立ち起こす折曲縁１１がこの折曲縁１１線上に各ボルト孔９が並ぶように設定する。
【００２８】
例えば、図１〜図４に示す第一実施例では、取付板部５の二ヵ所にボルト孔９を形成する実施例であるが、このボルト孔９の上下位置に臨むように切込部を形成し（端部においては片側には板縁があるためボルト孔９の片側に臨むように切込部を形成し）、取付板部５が切り出されるように形成すると共に、この切込部による切込縁４を用いてボルト孔９の並列方向を折曲縁１１として立ち起こすことで、このボルト孔９を中央部に設けた取付板部５に対して支持板部６が立設形成されて、この折曲縁１１の延長ライン上に前記ボルト孔９が並設していて、立ち起こした支持板部６の基端縁長さ方向にボルト孔９が位置し、支持板部６と共にボルト孔９がセンター位置に配置されることとなる。
【００２９】
従って、単に支持板部６の片側に取付板部５を折曲突出したのでは、必ず支持板部６の片側にズレた位置に取付板部５があり、この取付板部５に対するボルト孔９はセンター位置には配設できないが、本実施例では、例えば前述のように切込縁４の形状や位置の設定により、取付板部５に対して支持板部６を折曲するだけで、一枚支持構造の本金具を形成できると共に、取付板部５の中央部に対して支持板部６が折曲立設し、この取付板部５の中央部のボルト孔９はこのセンターに位置する支持板部６と同様にセンター位置に形成できることとなる。
【００３０】
従って、予め柱１に設けるボルト貫通孔７をセンター位置に必要数あるいは様々な金具を想定して多数形成しておけば、この厄介なプレカットをその都度柱１に形成しなくても、共通のプレカットで一枚支持構造，二枚支持構造に限らず、使用可能となる。
【００３１】
また、図５〜図７に示す第二実施例は、更に多数のボルト孔９を取付板部５の多数のセパレートした部分に夫々形成した場合で、図８〜図１０に示す第３実施例は切り出される取付板部５のセパレートした部分に二つのボルト孔９を形成した場合を示すものである。
【００３２】
尚、本発明は、本実施例に限られるものではなく、各構成要件の具体的構成は適宜設計し得るものである。
【００３３】
【発明の効果】
本発明は上述のように構成したから、別ピースを溶接で接合する構成ではなく、一枚の板材から一枚支持構造のものを折曲形成する構成でありながら、ボトル孔を二枚支持構造のものと同様に金具のセンター位置、即ち、支持板部の基端縁、更に言い換えれば、折曲形成した支持板部の折曲縁の長さ方向（長さ延長方向）に位置させるように構成して、木材に設ける連結ボルトのボルト貫通孔の位置をいずれの金具の場合も変える必要がなく、例えば仕口部を一枚の支持板部の場合も二枚の支持板部の場合も選択係合できるように加工すれば、ほとんど全く共通のプレカットで双方の金具が使用可能となる極めて画期的なセンター位置にボルト孔を設けた一枚支持構造の木材の連結金具となる。
【図面の簡単な説明】
【図１】第一実施例の折曲前の側面図である。
【図２】第一実施例の折曲後の斜視図のである。
【図３】第一実施例の使用状態を示す分解斜視図である。
【図４】第一実施例の使用状態の平断面図である。
【図５】第二実施例の折曲前の側面図である。
【図６】第二実施例の折曲後の斜視図のである。
【図７】第二実施例の使用状態を示す分解斜視図である。
【図８】第三実施例の折曲前の側面図である。
【図９】第三実施例の折曲後の斜視図のである。
【図１０】第三実施例の使用状態を示す分解斜視図である。
【図１１】二枚支持構造の木材の連結金具の使用状態を示す分解斜視図である。
【符号の説明】
１　建築用木材
２　仕口部
３　建築用木材
４　切込縁
５　取付板部
６　支持板部
７　ボルト貫通孔
８　連結ボルト
９　ボルト孔
１０　仕口連結部
１１　折曲縁
【図１】
2004108030.tif 000003
【図２】
2004108030.tif 000004
【図３】
2004108030.tif 000005
【図４】
2004108030.tif 000006
【図５】
2004108030.tif 000007
【図６】
2004108030.tif 000008
【図７】
2004108030.tif 000009
【図８】
2004108030.tif 000010
【図９】
2004108030.tif 000011
【図１０】
2004108030.tif 000012
【図１１】
2004108030.tif 000013